(57)【要約】【課題】成型品や材料ロットに変更がある場合等には、成型材料の熱硬化反応速度等の特性の変化に応じて射出充填圧力を調整する必要があるが、従来のノズル交換によって調整していた作業を、金型において、簡単に行えるようにして、特性の変化に容易に、かつ、迅速に対応できる射出成型用金型を提供する。【解決手段】金型４のスプルー11に、該スプルー11とほぼ同形状の分流子16を該スプルー11に対して移動可能に遊挿する。分流子16のスプルー11に対する位置が変更されると、スプルー11の内面と分流子16の外面とで形成される流路の長さと面積が変化するから、流路抵抗が増減し、射出充填圧力が調整される。分流子16の駆動手段50には射出充填圧力の測定データと設定データを比較した結果に応じた駆動信号が入力されて、要求される方向に分流子16を移動させるようにすれば、リアルタイムで射出充填圧力を調整できる。【選択図】        図１
2004188825.tif 000002
【特許請求の範囲】
【請求項１】
固定型のランナーとノズルタッチの両面間に形成されているスプルーに同心的に分流子を遊挿し、
前記分流子を前記スプルーの軸方向に移動可能に支持し、
前記分流子を移動させる駆動手段を有することを特徴とする射出成型用金型。
【請求項２】
ランナー割面とキャビティ割面とを別個に有する３プレート金型構造を有する射出成型用金型において、
ランナーとキャビティの両面間に形成されているゲートと同軸に、ランナーストリッパプレートに該ランナーストリッパプレートを貫通する貫通孔を形成し、
前記貫通孔に分流子を、該貫通孔の軸方向に移動可能に支持してあることを特徴とする射出成型用金型。
【請求項３】
ランナー割面とキャビティ割面とを別個に有する３プレート金型構造を有する射出成型用金型において、
ランナーストリッパプレートのランナーとノズルタッチの両面間に形成されているスプルーに同心的にスプルー用分流子を遊挿し、
前記スプルー用分流子を前記スプルーの軸方向に移動可能に支持し、
前記スプルー用分流子を移動させる駆動手段を有し、
ランナーとキャビティの両面間に形成されているゲートと同軸に、ランナーストリッパプレートに該ランナーストリッパプレートを貫通する貫通孔を形成し、
前記貫通孔にゲート用分流子を、該貫通孔の軸方向に移動可能に支持してあることを特徴とする射出成型用金型。
【請求項４】
射出成型時の射出充填圧力を測定する圧力検出手段と、
前記駆動手段に駆動信号を送出する駆動制御手段とを備え、
前記駆動制御手段は、成型品に応じた射出充填圧力についての設定データを有すると共に、外部からの操作によって比較データを入力でき、前記設定データまたは比較データと前記検出データとを比較して、所望の射出充填圧力に応じた位置まで前記分流子を移動させる駆動信号を送出し、
前記駆動手段は、前記駆動信号に従って作動して、前記分流子の移動位置を変更させることを特徴とする請求項１ないし請求項３のいずれかに記載の射出成型用金型。
【発明の詳細な説明】
【０００１】
【発明の属する技術分野】
この発明は、熱硬化性または熱可塑性の合成樹脂材料、ゴム、ゴム状弾性材料（エラストマー）等を成型材料とする射出成型に適した射出成型用金型に関する。
【０００２】
【従来の技術】
射出成型時には射出充填圧力に比例して成型材料が射出せん断発熱により自己発熱し、キャビティに注入される材料温度が上昇する現象が生じる。この射出充填圧力に関係した射出発熱での材料の昇温は、ゴムや熱硬化性樹脂のように熱により硬化反応が促進される材料の成型にとっては、金型内での材料の硬化反応時間やゴムの場合の加硫時間が短縮されるので生産性の面で好都合である。他方、熱可塑性樹脂材料では、射出充填圧力が大きい場合には、スプルーやランナー、ゲート等の金型通路の途中で冷却され固化しないよう、キャビティへの材料充填不足とならないように高速充填されるので好ましい。しかし、射出充填圧力による昇温は、高温になりすぎると熱可塑性樹脂自体の分解劣化の原因となるので好ましくない。
【０００３】
すなわち、ゴムや熱硬化性樹脂材料の射出成型においては、材料がスコーチ（材料焼け）しない範囲で可能な限り高い射出充填圧力を設定したい。他方、熱可塑性樹脂材料の射出成型においては、射出充填不足にならない範囲で可能な限り低い射出充填圧力に設定したい。
【０００４】
このため、射出成型工程では、射出成型条件を設定する際に、使用材料と金型との組み合わせに応じた好適な射出速度と射出充填圧力を確保できるよう、最適なノズル径を選択することが要求され、成型する製品（成型品）毎に最適なノズル径を備えたノズルに交換する作業を必要としている。
【０００５】
このノズルの交換作業は、成型用金型を射出成型機に取り付けた状態では行えない構造のものがあり、金型を射出成型機から取り外し、金型を分解して行なわなければならない場合がある。すなわち、金型の取り外し作業や型ばらし作業を行ってノズルを交換し、再び金型の組み立て作業や取付作業を行い、成型温度の調整等の各作業を順次行っていた。しかし、これらの作業は煩雑であり相当の時間を要することになり、また多種類のノズルを準備しておかなければならず、コストが大きくなっていた。このため、複数のキャビティに対してその都度ノズル交換の手間を省くために、特許文献１に記載された射出成型用金型がある。この射出成型用金型は、複数のキャビティに対して、それぞれ、ピンポイントゲートを用いた３プレート構造の射出成型用金型において、スプル部から各キャビティのゲートに向けて樹脂流路が分岐されているランナに向けて、上記ランナのストリッパプレート側には、２次スプルロックピンが、その先端を各ゲートに対応する２次スプル部に臨ませて、金型を成型機に取り付けた状態で外部から位置調整できるように配置された構造を備えたものである。
【０００６】
【特許文献１】
特開平１１−１９９７５号
【０００７】
【発明が解決しようとする課題】
しかしながら、特許文献１に記載された成型用金型の場合、２次スプル毎に２次スプルロックピンを調整する必要がある。この調整作業は手作業で行われるものであり、しかも複数個の２次スプルロックピンを調整することから、作業性が十分に向上したとは言い難い。すなわち、複数個の２次スプルロックピンを調整する際に、その調整にバラツキが生じ２次スプル毎に流動抵抗が異なってしまうおそれがあり、同時に加工された成型品の間で品質のバラツキが生じるおそれがある。したがって、流動抵抗を等しくするよう２次スプルロックピンを調整しなければならないが、この調整作業は煩雑であり、場合によって熟練を必要とする。
【０００８】
しかも、射出成型の場合には、同一の成型品であっても、使用材料の製造ロット毎に材料の流動性にバラツキがあり、同一の射出条件を設定して射出成型した場合でも、射出充填圧力が変動して、所望の成型品を得られない場合が生じる。さらに、ゴムや熱硬化性樹脂の場合には、材料の製造ロット毎に熱硬化反応速度や加硫速度にもバラツキが生じ、同一の射出条件が設定されていても、熱硬化反応速度が大きすぎる材料ロットでは、射出充填時にスコーチを生じてしまい、熱硬化反応速度が小さすぎる材料ロットでは、成型品の熱硬化反応不足を生じて、所望の品質の成型品を得ることができないおそれがある。したがって、成型品の品質を確保するために、使用材料や金型の変更時と同様に、材料の製造ロット毎にも、熱硬化反応速度に応じてノズル径を変更して対応している。すなわち、ノズル径の変更によって射出充填圧力が変更され、その結果、射出発熱量が変更されることになる。
【０００９】
また、射出成型機の運転時間が長くなると、材料の流路が摩耗したり、流路内に材料が滞留してしまうおそれがある。このような場合にも、流路抵抗が変動するから、射出充填圧力が変動するおそれがある。すなわち、経時的にも射出充填圧力が変動するおそれがあり、運転中であっても常時射出充填圧力の変動を監視して、この変動に応じた調整を行えるようにすることが好ましい。
【００１０】
そこで、この発明は、射出充填圧力の設定を任意に行えるようにすることができるようにし、成型品が変更された場合であっても、同一成型品の成型加工時に製造ロットの異なる材料が使用される場合であっても、容易に射出充填圧力の設定を変更でき、品質にバラツキのない成型品を加工することができる射出成型用金型を提供することを目的としている。
【００１１】
【課題を解決するための手段】
前記の目的を達成するための技術的手段として、この発明に係る射出成型用金型は、固定型のランナーとノズルタッチの両面間に形成されているスプルーに同心的に分流子を遊挿し、前記分流子を前記スプルーの軸方向に移動可能に支持し、前記分流子を移動させる駆動手段を有することを特徴としている。
【００１２】
前記分流子を移動させることにより、スプルーに対する位置関係が変更させる。スプルーに遊挿された分流子のため材料の流路は断面環状となっており、分流子の位置によってこの流路の長さが変更され、流路の抵抗が異なることになる。また、スプルーは円錐形の内面で形成され、分流子の遊挿位置によって、流路の面積が異なることになり、流路抵抗が変更されることになる。すなわち、分流子の位置を異ならせることによりノズルの径を異ならせた場合と同様の機能を果たすことができる。この流路抵抗の変化によって射出充填圧力が変更され、成型品に適した射出充填圧力を得ることができる。しかも、分流子の移動は、前記駆動手段によって行うので、この駆動手段の駆動量、例えばモータを用いた場合にはその回転角度を検出することにより、分流子の移動量を知ることができるから、成型品や材料に応じた分流子の位置を予め求めておくことにより、当該成型品等に最適な流路抵抗を設定することができる。
【００１３】
また、請求項２の発明に係る射出成型用金型は、ランナー割面とキャビティ割面とを別個に有する３プレート金型構造を有する射出成型用金型において、ランナーとキャビティの両面間に形成されているゲートと同軸に、ランナーストリッパプレートに該ランナーストリッパプレートを貫通する貫通孔を形成し、前記貫通孔に分流子を、該貫通孔の軸方向に移動可能に支持してあることを特徴としている。
【００１４】
３プレート構造による場合にはランナーストリッパプレートに、キャビティに通じたゲートの開口に臨ませて貫通孔を形成することができる。したがって、この貫通孔に前記分流子を移動可能に設けることによりゲートの開口面積を変更させて、該ゲートの開口部における流路抵抗を変更させることができる。これにより、キャビティへの射出充填圧力を変更することができる。すなわち、分流子のゲートの開口に対する位置を調整することにより、射出充填圧力を調整することができる。しかも、各ゲート毎に調整できる。
【００１５】
また、請求項３の発明に係る射出成型用金型は、ランナー割面とキャビティ割面とを別個に有する３プレート金型構造を有する射出成型用金型において、ランナーストリッパプレートのランナーとノズルタッチの両面間に形成されているスプルーに同心的にスプルー用分流子を遊挿し、前記スプルー用分流子を前記スプルーの軸方向に移動可能に支持し、前記スプルー用分流子を移動させる駆動手段を有し、ランナーとキャビティの両面間に形成されているゲートと同軸に、ランナーストリッパプレートに該ランナーストリッパプレートを貫通する貫通孔を形成し、前記貫通孔にゲート用分流子を、該貫通孔の軸方向に移動可能に支持してあることを特徴としている。
【００１６】
すなわち、スプルーとゲートに臨む位置との双方に分流子を設けた構造である。スプルーとゲートの開口の部分とで流路抵抗の増減を調整できるから、射出充填圧力をより最適となるよう調整することができる。
【００１７】
また、請求項４の発明に係る射出成型用金型は、射出成型時の射出充填圧力を測定する圧力検出手段と、前記駆動手段に駆動信号を送出する駆動制御手段とを備え、前記駆動制御手段は、成型品に応じた射出充填圧力についての設定データを有すると共に、外部からの操作によって比較データを入力でき、前記設定データまたは比較データと前記検出データとを比較して、所望の射出充填圧力に応じた位置まで前記分流子を移動させる駆動信号を送出し、前記駆動手段は、前記駆動信号に従って作動して、前記分流子の移動位置を変更させることを特徴としている。
【００１８】
前記圧力検出手段により射出充填圧力が検出されると、その検出データが前記駆動制御手段へ送出される。駆動制御手段では、例えば成型品に応じた最適な射出充填圧力に関するデータを設定データとして設定しておき、この設定データと検出データとを比較して、等しい射出充填圧力となる位置に前記分流子を移動させるよう、駆動信号を送出する。この駆動信号を受けて前記駆動手段が駆動して分流子を移動させる。また、スコーチの発生等成型品の品質を確認して、外部からの操作により比較データを変更して駆動信号を変更することにより、材料ロットの変更に応じた射出充填圧力に調整する。
【００１９】
【発明の実施の形態】
以下、図示した好ましい実施の形態に基づいて、この発明に係る射出成型用金型を具体的に説明する。なお、この実施形態では、ゴムを材料として射出成型するのに適した射出成型用金型を示している。
【００２０】
図１はこの発明に係る射出成型用金型及び射出成型機の一部の概略構造を説明する断面図であり、ケーシング１に水平方向の押出装置２と垂直方向の射出シリンダ３とを備えており、射出シリンダ３の下方に金型４が配されて、射出シリンダ３から射出される成型材料がこの金型４内に供給されるようにしてある。
【００２１】
前記押出装置２は、筒状のシリンダ部21と、その内部に回動可能に収容されたスクリュー22とで構成されている。シリンダ部21の一部には供給口23が設けられており、成型材料であるゴムがこの供給口23からシリンダ部21内に供給される。シリンダ部21の先端部には縮径されて首部24が設けられており、この首部24の前方には、拡径部25a に弁体25b が収容された逆止弁25が設けられている。この逆止弁25の下流側に連通路26が設けられ、逆止弁25は該連通路26を介して前記射出シリンダ３のシリンダ部31と連通している。なお、この逆止弁25は押出装置２から射出シリンダ３に材料が流れることを許容し、逆方向の流れを阻止する。
【００２２】
前記連通路26は、シリンダ部31の下部に配された射出ポット部32に連通している。この射出シリンダ３は筒状のシリンダ部31内に摺動可能にプランジャ33が収容された構造とされており、下端部に前記射出ポット部32が設けられている。この射出ポット部32の内面は円錐形の内面で形成され、下端部には供給路34が連通している。前記プランジャ33の先端形状は、射出ポット部32の円錐形と合致する円錐形に形成されており、プランジャ33は、下端まで摺動した場合には、その先端部が前記供給路34の上部に位置するようにしてある。また、前記供給路34の下端部には着脱可能にノズル５が設けられている。
【００２３】
前記金型４は可動型である下型41と固定型である上型42、この上型42の上部に取り付けられるランナーストリッパプレート43とにより構成されている。ランナーストリッパプレート43の上方には、成型機と上型42とを固定し、前記ノズル５と上型42の後述するノズルタッチ11a との位置決めを行うアッパクランピングプレート８が配されている。このアッパクランピングプレート８に、ヒーター6aが内蔵された上熱盤６が被せられ、該上熱盤６の上方には断熱盤7aを介して上ダイプレート71が配されている。前記下型41にはヒーター41a が内蔵されている。この下型41の下方に断熱盤7bを介して下ダイプレート72が配されている。そして、前記上ダイプレート71と下ダイプレート72とはタイバー73によって連繋され、下型41の型締め、型開きの際の移動を案内する。
【００２４】
前記ランナーストリッパプレート43には、スプルー11とランナー12とが形成されている。スプルー11はランナーストリッパプレート43のほぼ中央部で、上面であるノズルタッチ面から下面であるランナー割面に貫通した透孔で形成され、上端部のノズルタッチ11a （図２及び図３参照）で前記ノズル５に接続するようにしてある。このスプルー11の内面は、円錐台形の内面で形成されている。また、スプルー11の下端部には前記ランナー12の基端部が連通している。ランナー12は、ランナーストリッパプレート43の下面に溝状に形成されており、複数のランナー12がスプルー11の下端部からほぼ放射状に伸張させてある。このランナー12のそれぞれの先端部にゲート13が連通している。なお、ランナーストリッパプレート43の下面は前記上型42の上面に密着して、ランナー12は溝状の底部が上型42に閉鎖されて通路状に形成されている。
【００２５】
前記ゲート13は上型42の上面から、該上型42の下面に形成された上側キャビティ14a に連通する透孔で形成されている。前記下型41には、上側キャビティ14a と協働してキャビティ14を形成することになる下側キャビティ14b が形成されている。したがって、このキャビティ14は、ゲート13とランナー12、スプルー11、供給路34を介して射出シリンダ３の射出ポット部32と連通している。
【００２６】
前記下型41と上型42、ランナーストリッパプレート43とを密着させた状態で、前記スプルー11と連通するガイド孔15が、下型41と上型42、断熱盤7aとを貫通して形成されている。そして、このガイド孔15に棒状の分流子16が、該ガイド孔15に案内されて摺動可能に遊挿されている。この分流子16の先端部はスプルー11内に位置しており、先端の形状はスプルー11の円錐台形と合致する円錐形の外面で形成されている。したがって、スプルー11においては、流路形状が環状に形成されている。
【００２７】
前記分流子16を移動させる駆動手段50がロアクランピングプレート９内に設けられている。なお、該駆動手段50は前記下ダイプレート72に設けることもできる。この駆動手段50は、図２及び図３に示すように、ウォームホイール51とウォーム52とを組み合わせたウォームギヤにより構成されている。ウォーム52は、図２に示すように、前記ロアクランクピングプレート９の上方に、水平方向に掛け渡されて回動自在に支持された駆動ロッド53の中央部に形成されており、この駆動ロッド53に図示しないモータ等の駆動源から回動力が伝達される。ウォームホイール51のボス部51a の内面には雌ネジが51b が形成されている。前記分流子16は、下端部に支持ロッド17が接続されており、この支持ロッド17が前記ガイド孔15に遊挿されている。この支持ロッド17の下部でガイド孔15から突出した部分には、前記雌ネジ51b と螺合する雄ネジ部17a が形成されている。また、この支持ロッド17は回動が阻止されている。
【００２８】
以上により構成されたこの発明に係る射出成型機の作用を、以下に説明する。
【００２９】
前記図示しない駆動源が作動すると前記駆動ロッド53が回動して、ウォーム52が回動する。このウォーム52に螺合しているウォームホイール51も回動する。該ウォームホイール51のボス部51a には雌ネジ51b が形成されており、回動が阻止されている前記支持ロッド17の雄ネジ部17a が該雌ネジ51b に螺合しているから、該支持ロッド17がウォームホイール51の回動方向に応じてガイド孔15内を昇降することになる。支持ロッド17の上端部には前記分流子16が接続してあるから、該分流子16がスプルー11内を昇降して移動する。
【００３０】
スプルー11は前記分流子16が内部に位置していることにより、断面環状の流路が形成された状態となっている。この分流子16のスプルー11に対する位置に応じてこの流路の長さと面積が変更されるから、流路抵抗が変更されることになる。
【００３１】
一方、成型材料であるゴムは前記供給口23から供給され、前記スクリュー22の回転によってシリンダ部21を首部24へ向けて押し送られ、逆止弁25を通過し、連通路26を通って射出ポット部32へ供給される。射出ポット部32に成型材料が供給されると、前記プランジャ33が押し上げられることになり、射出量に対応した位置まで押し上げられると前記スクリュー22の回転が停止して成型材料の射出ポット部32への供給が停止する。次いで、図示しない駆動源によってプランジャ33が押下される。このとき、射出ポット部32内の成型材料は前記連通路26を通って押出装置２に戻ろうとするが、前記逆止弁25に阻止されているため、逆流することはない。したがって、プランジャ33の下降によって射出ポット部32内の成型材料は、供給路34を通ってノズル５からスプルー11へ射出されることになる。スプルー11に供給された成型材料は、該スプルー11内に位置している分流子16の周囲の流路を通ってランナー12に押し送られ、さらにゲート13を通ってキャビティ14内に射出されることになる。次いで、加熱硬化され、型開きされてキャビティ14内で固化した成型品が取り出される。
【００３２】
成型材料の変更があった場合や、成型品を変更する場合等で、射出充填圧力を変更する必要が生じた場合には、前記駆動ロッド53を回動させて、前述したように分流子16を上昇または下降させて所定の位置に位置付かせる。これにより、スプルー11における流路長が変更されて、流路抵抗が変更されるから、射出充填圧力が変更される。また、スプルー11は成型材料の流動性が良好となるようにノズル５側が縮径された円錐形の内面で形成されている。このため、分流子16もスプルー11の円錐形と合致する円錐形の外面で形成されている。このため、分流子16の位置が変更されると、スプルー11の流路面積も変更されて、流路抵抗が変更されるから、射出充填圧力が変更される。また、必要とされる射出充填圧力を得られる分流子16の位置が予め認識されていれば、当該位置に分流子16を位置させることによって簡便に所定の射出充填圧力に設定することができる。なお、分流子16の位置は、例えば支持ロッド17の位置を検出する位置センサ等を設けることによって容易に確認することができる。また、駆動手段の初期位置を定めて、該初期位置からの回転角度に応じて分流子16の位置を定めることもできる。
【００３３】
さらに、図２と図３、図５に示すように、ゲート13の開口に対しても、分流子18が設けられている。すなわち、前記ランナーストリッパプレート43を貫通したガイド孔19を形成し、このガイド孔19に分流子18が移動可能に案内されて設けられている。この分流子18の先端をランナー11と連通するゲート13の開口に臨ませてあり、該分流子18の移動によって該開口との関係において開口面積を調整することができるようにしてある。また、この分流子18の移動は、前記分流子16のように、駆動源の動力を伝達させて行うこともでき、また、例えば分流子18の支持ロッド18a に雄ネジを形成し、前記ガイド孔19に該雄ネジと螺合する雌ネジを形成して、該支持ロッド18a を回動させてこれら雄ネジと雌ネジの螺合関係によって分流子18を移動させるようにしても構わない。
【００３４】
前記分流子18を下降させて、先端をゲート13の開口に接近させると、該開口の面積が小さくなって流路抵抗を増加させることができる。また、分流子18を上昇させると前記開口面積が大きくなるので流路抵抗を減少させることができる。したがって、分流子18の位置を調整することにより射出充填圧力を調整することができる。
【００３５】
さらに、分流子16のように駆動源の動力を利用して移動させるようにした場合には、射出充填圧力を測定することにより、その検出データに基づいて分流子16の位置を変更させることができる。例えば、前記プランジャ33を押下させる際の負荷となる圧力を測定する圧力検出手段61を設け、この圧力検出手段61により測定された射出充填圧力に関する検出データを、駆動制御手段62に送出する。駆動制御手段62には成型材料や成型品に応じた最適な射出充填圧力が設定データとして予め登録されており、この設定データと前記検出データとを比較し、その差に応じて射出充填圧力の増減に関する駆動信号を駆動手段63に対して出力する。駆動手段63ではこの駆動信号に基づいて要求された角度と方向で前記駆動ロッド53を回動させる。これにより、分流子16が移動して射出充填圧力が変更される。また、前記駆動制御手段62には外部からの操作によって比較データを設定することができるようにしてある。例えば、同一の成型品を同一の材料で成型する場合に、材料ロットが変更されたことにより加硫速度等が変化してしまう場合がある。このような場合には、成型品を確認して例えばスコーチが発生している場合には、分流子16を移動させてスプルー11における流路抵抗を増減させる必要があるから、比較データを入力して射出充填圧力を変更させる。
【００３６】
【発明の効果】
以上説明したように、この発明に係る射出成型用金型によれば、スプルーに遊挿した分流子を移動させることにより、スプルーにおける流路抵抗を変更することができ、これにより射出充填圧力を調整することができる。したがって、材料や金型が変更された場合、ノズルを交換することなく最適な射出充填圧力に設定でき、良好な成型品を得ることができる。しかも、駆動手段の動力によって分流子を移動させるので、人手による作業の場合のような煩雑さがなく、射出充填圧力の調整作業を簡便に行うことができる。このため、射出成型機による生産性を向上させることができる。
【００３７】
また、請求項２の発明に係る射出成型用金型によれば、ゲートの開口に臨ませた分流子を移動させることにより、ゲートの開口面積を調整できる。このため、ゲートの開口における流路抵抗を増減することができ、射出充填圧力を調整することができしたがって、材料や金型が変更された場合、ノズルを交換することなく最適な射出充填圧力に設定でき、良好な成型品を得ることができる。
【００３８】
また、請求項３の発明に係る射出成型用金型によれば、スプルーにおける流路抵抗とゲートにおける流路抵抗の双方を簡便に調整することができるので、射出充填圧力を容易に最適な大きさに調整することができる。
【００３９】
また、請求項４の発明に係る射出成型用金型によれば、リアルタイムで射出充填圧力を調整することができる。このため、成型品や金型の交換時にも、材料ロットの変更による成型品の品質変化にも、さらに流路の摩耗や流路内に材料が滞留した場合等の経時的な射出充填圧力の変動にも、容易に、かつ、迅速に対応することができ、ゴムや熱硬化性樹脂を材料とする場合のスコーチや熱硬化反応不足を生じさせずに、また、熱可塑性樹脂を材料とする場合の材料の熱分解や冷却固化状態の安定化に寄与して、いずれの場合であっても、成型品の品質を安定して良好に保つことができる。
【図面の簡単な説明】
【図１】この発明に係る射出成型用金型及び射出成型機の一部の概略構造を説明する断面図である。
【図２】この発明に係る射出成型用金型の概略構造を説明する一部切断正面図である。
【図３】図２に示す金型の一部切断側面図である。
【図４】この発明に係る要部の構造を示す断面図である。
【図５】この発明に係る要部の構造を示す断面図である。
【図６】この発明に係る射出成型用金型及び射出成型機の動作を制御する制御手段を説明するブロック図である。
【符号の説明】
１  ケーシング
２  押出装置
３  射出シリンダ
31  シリンダ部
32  射出ポット部
34  供給路
４  金型
41  下型
42  上型
43  スプルーストリッパプレート
５  ノズル
８  アッパクランピングプレート
９  ロアクランクピンクグプレート
11  スプルー
11a  ノズルタッチ
12  ランナー
13  ゲート
14  キャビティ
15  ガイド孔
16  分流子（スプルー用）
17  支持ロッド
17a  雄ネジ部
18  分流子（ゲート用）
19  ガイド孔
50  駆動手段
51  ウォームホイール
52  ウォーム
53  駆動ロッド
61  圧力検出手段
62  駆動制御手段
63  駆動手段
71  上ダイプレート
72  下ダイプレート
73  タイバー
【図１】
2004188825.tif 000003
【図２】
2004188825.tif 000004
【図３】
2004188825.tif 000005
【図４】
2004188825.tif 000006
【図５】
2004188825.tif 000007
【図６】
2004188825.tif 000008